(57)【特許請求の範囲】
【請求項１】
通信ネットワークを通じて受信され、送信元により転送先が予め設定されたデータを転送する機能を備えるファクシミリサーバにおいて、
上記送信元により転送先が予め設定されたデータを、少なくとも所定の処理指示操作がなされるまでは未転送データとして蓄積する蓄積手段と、
上記蓄積手段に蓄積されている上記未転送データを、データ表示操作がなされたときには表示させ、かつ、その表示させた未転送データのうちから選択されたデータに対して上記所定の処理指示操作がなされたときには該所定の処理指示操作に従って、上記選択されたデータを処理する変更手段とを備えており、
上記所定の処理指示操作として、上記送信元により予め設定された転送先へ転送させる指示操作と、該送信元により予め設定された転送先の変更を受け付けるとともに、その変更された転送先へ転送させる指示操作との選択が可能とされているファクシミリサーバ。
【請求項２】
請求項１において、
上記変更手段は、上記データ表示操作がなされたときには、送信元情報とともに送信元毎に上記未転送データを表示させる構成とされているファクシミリサーバ。
【請求項３】
請求項１または２において、
上記所定の処理指示操作として、上記選択されたデータを印刷させる指示操作と、該選択されたデータを上記蓄積手段から削除させる指示操作との選択が更に可能とされているファクシミリサーバ。
【発明の詳細な説明】
【０００１】
【発明の属する技術分野】
本発明は、通信ネットワークを通じて受信され、転送先が予め設定されたデータを、設定された転送先に転送する機能を備えるファクシミリサーバの改良に関する。
【０００２】
【従来の技術】
従来より、ファクシミリサーバでは、通信ネットワークを通じて受信され、転送先が予め設定されたデータを、設定された転送先に転送する機能を備えており、通信ネットワークを通じて受信したデータを、サーバ自身や送信元で予め設定された転送先、すなわち、通信ネットワーク上のクライアントや他のファクシミリ装置に対して、それぞれ対応するプロトコルに従って転送することができる。
【０００３】
【発明が解決しようとする課題】
ところが、上記した従来のファクシミリサーバでは、データを受信後直ちに転送する構成であり、そのため、転送先の設定ミスがあったり、データ内容が転送するには好ましくないものであったりした場合など、サーバ管理者が意図しない転送がなされてしまう恐れがあり、サーバ管理者がデータ転送を管理できるようにすることが望まれていた。
【０００４】
本発明は、上記事情を考慮してなされたものであり、サーバ管理者がデータ転送を容易に管理できるファクシミリサーバを提供することを目的としている。
【０００５】
【課題を解決するための手段】
上記目的を達成するために、本発明の請求項１に記載のファクシミリサーバでは、送信元により転送先が予め設定されたデータを、少なくとも所定の処理指示操作がなされるまでは未転送データとして蓄積する蓄積手段と、上記蓄積手段に蓄積されている上記未転送データを、データ表示操作がなされたときには表示させ、かつ、その表示させた未転送データのうちから選択されたデータに対して上記所定の処理指示操作がなされたときには該所定の処理指示操作に従って、上記選択されたデータを処理する変更手段とを備えており、上記所定の処理指示操作として、上記送信元により予め設定された転送先へ転送させる指示操作と、該送信元により予め設定された転送先の変更を受け付けるとともに、その変更された転送先へ転送させる指示操作との選択が可能とされている構成とした。
【０００６】
請求項２に記載のファクシミリサーバでは、上記変更手段は、上記データ表示操作がなされたときには、送信元情報とともに送信元毎に上記未転送データを表示させる構成とされている。
【０００７】
請求項３に記載のファクシミリサーバでは、上記所定の処理指示操作として、上記選択されたデータを印刷させる指示操作と、該選択されたデータを上記蓄積手段から削除させる指示操作との選択が更に可能とされている構成とした。
【０００８】
【発明の実施の形態】
以下に、本発明の実施の形態について、図面とともに説明する。図１は、本発明のファクシミリサーバ１の要部構成の一例を示す図、図２は、ファクシミリサーバ１を用いて構成したファクシミリシステムの構成を示す図である。
【０００９】
ファクシミリサーバ１は、電話回線Ｌを接続するとともに、通信ネットワークとして、通信ネットワークの１つであるＬＡＮ（Ｎ）を接続しており、このＬＡＮ（Ｎ）には、図２に示すように、パーソナルコンピュータで構成されたクライアント２と、メールサーバ３と、インターネットとを接続している。
【００１０】
なお、ここでは、通信ネットワークとしてＬＡＮ（Ｎ）を示しているが、本発明はこの例に限られず、ＷＡＮや専用線などの他の種類のネットワーク、あるいは、ＬＡＮ（Ｎ）とインターネットとの組み合わせといったような、複数種類のネットワークを組み合わせたもので構成してもよい。
【００１１】
ファクシミリサーバ１は、公衆回線網（ＰＳＴＮ）を通じてファクシミリ受信した画像データを、サーバ１自身や送信元で予め設定された転送先、すなわち、公衆回線網に接続された他のファクシミリ装置や、クライアント２や、インターネットに接続された他のファクシミリ装置に対して、それぞれ対応するプロトコルに従って転送することができる。
【００１２】
また、ファクシミリサーバ１は、メールサーバ３と所定のプロトコルに従った通信をすることによって、自身のメールアドレスが指定され、メールサーバ３に格納された電子メールを受信したり、メールサーバ３に、送信先のメールアドレスを指定した電子メールを格納させることができる。
【００１３】
ここで、ファクシミリサーバ１は、メールサーバ３からの電子メールを、サーバ１自身や送信元で予め設定された転送先、すなわち、公衆回線網に接続された他のファクシミリ装置や、クライアント２や、インターネットに接続された他のファクシミリ装置に対して、それぞれ対応するプロトコルに従って転送することができる。
【００１４】
ファクシミリサーバ１は、図１に示すように、以下の各部を制御するＣＰＵ１０と、受信したデータに対応する転送先を予め設定したＲＡＭ１１と、制御プログラムなどを予め記憶したＲＯＭ１２と、原稿から画像データを読み取り、画像データに変換するスキャナ１３と、データを所定の記録紙に記録するプリンタ１４と、電話回線Ｌに対する接続制御をするＮＣＵ１５と、ファクシミリ通信に必要な各種信号を変復調するモデム１６と、液晶画面や各種操作キーなどで構成される操作パネル１７と、データをファクシミリ通信のためにＭＨ，ＭＲ，ＭＭＲ方式などで符号化および復号するＣＯＤＥＣ１８と、ＬＡＮ（Ｎ）をイーサネットなどの規格に準じて接続するＬＡＮインタフェース１９とを備える。
【００１５】
このような構成によれば、以下に示す動作をすることができる。
【００１６】
図３のフローチャートは、データ受信時の動作を示しており、ファクシミリサーバ１は、データを受信すると（１００）、そのデータに対応する転送先が設定されているかを識別する（１０１）。ここで、転送先の識別は、ＲＡＭ１１に予め設定されているか、あるいは、送信元により予め設定されているかを識別する。
【００１７】
なお、送信元により転送先が設定されているかの識別は、ファクシミリサーバ受信した画像データなら、例えば、その画像データの前に送信されてくるファクシミリ通信手順信号に基づいて行い、電子メールなら、例えば、そのヘッダ部分や本文記載の転送コマンドに基づいて行う。図４は、送信元より転送先が設定された電子メールの一例を示しており、転送先となるファクシミリ番号が転送コマンドＣとして記載されている。
【００１８】
そして、受信データに対応して転送先が予め設定されていれば、そのデータをＲＡＭ１１に蓄積する一方、設定されていなければそのデータをプリンタ１４により印刷する（１０２，１０３）。
【００１９】
ＲＡＭ１１に蓄積されたデータは、図５のフローチャートに示すような動作によって処理される。ファクシミリサーバ１は、操作パネル１７の操作によるデータ表示操作に対して待機しており、データ表示操作がされたときにはこれを受け付け（２００）、ＲＡＭ１１に未転送のデータがあれば（２０１）、全部あるいは一部のデータを、送信元毎に操作パネル１７にプレビュ表示する（２０２）。このとき送信元情報も表示する。
【００２０】
一方、未転送のデータがなければ（２０１）、操作パネル１７に、例えば「対象データはありません」といったような、未転送のデータがない旨を表示する（２０３）。
【００２１】
そして、ファクシミリサーバ１は、操作パネル１７の操作による処理指示操作に対して待機する。この処理指示操作は、未転送のデータから所望のデータを選択し、選択したデータに対する処理を決定するために行われる。
【００２２】
すなわち、処理指示操作では、未転送のデータの中から所望のデータを選択し、選択したデータについて、予め設定されている転送先への転送を指示したり、転送先を変更してその転送先への転送を指示したり、プリンタ１４によって印刷したり、ＲＡＭ１１から削除するなどの処理を指示する。
【００２３】
ファクシミリサーバ１は、このような処理指示操作がされたときにはこれを受け付け（２０４）、処理指示がなされたデータについては、その指示に基づいて処理を行い、例えば、予め設定されている転送先へ転送したり、変更された転送先に転送したり、プリンタ１４によって印刷したり、ＲＡＭ１１から削除する（２０５，２０６）。一方、処理指示のなされていないデータについては、予め設定されている転送先に転送する（２０５，２０７）。
【００２４】
なお、先述したデータ表示操作や処理指示操作は、クライアント２や、インターネット上の他のコンピュータからアクセスすることによって遠隔操作することができる。
【００２５】
すなわち、ファクシミリサーバ１は、クライアント２や、インターネット上の他のコンピュータからアクセスされると、図６に示すような遠隔操作画面を送信し、これを受けた側では、受信した遠隔操作画面がブラウザ上に表示される。
【００２６】
遠隔操作画面には、送信元４０、ファクシミリサーバ１で設定したファイル名４１とが、未転送データ毎に表示されている。そして、これらのデータ毎に、データをサムネイル表示させるためのリンクＬが表示されており、リンクＬを操作すれば、対応するデータのサムネイルデータが、ファクシミリサーバ１より送信されて表示される。
【００２７】
また、遠隔操作画面には、未転送データ毎に、予め設定されている転送先４２が表示されており、その転送先に転送するときには、転送実行ボタン４３を操作する。一方、転送先を変更したいときには、所望の転送先４４を入力する。このとき、対応する送信方法４８が自動決定され、転送実行ボタン４５を操作すると、ファクシミリサーバ１より、変更した転送先に対して、対応する送信方法に従ってデータが転送される。
【００２８】
更に、遠隔操作画面には、印刷ボタン４６、破棄ボタン４７が表示されており、印刷ボタン４６を操作するとデータがプリンタ１４により印刷され、破棄ボタン４７を操作するとデータがＲＡＭ１１より削除される。
【００２９】
【発明の効果】
以上の説明からも理解できるように、本発明の請求項１に記載のファクシミリサーバでは、処理指示操作がされたときにはこれを受け付け、処理指示がなされたデータについては、その指示に基づいて処理を行い、例えば、予め設定されている転送先へ転送したり、変更された転送先に転送したりできるので、サーバ管理者の指示に基づいてデータの転送を管理することができ、そのため、サーバ管理者の意図しないデータ転送を防止できる。
【００３０】
請求項２に記載のファクシミリサーバでは、変更手段によって、蓄積手段に蓄積された未転送データを送信元情報とともに送信元毎に表示させるので、サーバ管理者が、蓄積手段のデータについて、自在にデータ転送を管理でき、転送先の指定が誤っていたり、転送先を変更したい場合などには、容易に転送先の変更ができ、利便である。
【００３１】
請求項３に記載のファクシミリサーバでは、サーバ管理者が、蓄積手段のデータについて、所望のデータを選択して印刷あるいは蓄積手段から削除させることができ、利便である。
【図面の簡単な説明】
【図１】本発明のファクシミリサーバの要部構成の一例を示す図である。
【図２】ファクシミリサーバを用いて構成したファクシミリシステムの構成を示す図である。
【図３】ファクシミリサーバの動作の一例について説明するためのフローチャートである。
【図４】送信元より転送先が設定された電子メールの構成の一例を示す図である。
【図５】ファクシミリサーバの動作の他例について説明するためのフローチャートである。
【図６】遠隔操作画面の表示例を示す図である。
【符号の説明】
１・・・ファクシミリサーバ
１０・・ＣＰＵ
１１・・・ＲＡＭ
１７・・・操作パネル
Ｎ・・・ＬＡＮ
【図１】
0004470341.tif 000002
【図２】
0004470341.tif 000003
【図３】
0004470341.tif 000004
【図４】
0004470341.tif 000005
【図５】
0004470341.tif 000006
【図６】
0004470341.tif 000007